(57)【要約】【課題】より好適に色成分の復元処理を行う。【解決手段】入力映像信号の色成分の復元を行って表示するために、映像の情報量を削減して伝送された入力映像信号を入力し、入力映像信号の輝度成分の空間的な変化の絶対値に基づいて前記映像信号の色成分の画素値の補間処理をおこなう映像処理部と、映像処理部で前記色成分の画素値の補間処理をおこなった映像を表示する映像表示部とを備えるように構成する。【選択図】  図２
2013004999.tif 000002
【特許請求の範囲】
【請求項１】
映像の情報量を削減して伝送された入力映像信号を入力し、
入力映像信号の輝度成分の空間的な変化の絶対値に基づいて前記映像信号の色成分の画素値の補間処理をおこなう映像処理部を備えることを特徴とする映像処理装置。
【請求項２】
請求項１に記載の映像処理装置であって、
前記映像処理部は、入力映像信号の色成分情報の表色系を変換し、変換後の表色系における複数の色成分のうち、所定の色成分のみについて前記色成分の画素値の補間処理をおこなうことを特徴とする映像処理装置。
【請求項３】
請求項１に記載の映像処理装置であって、
前記映像処理部は、デモ表示モードあるか否かを示す信号に応じて、映像信号のコントラスト補正を行うことを特徴とする映像処理装置。
【請求項４】
請求項１に記載の映像処理装置であって、
前記映像処理部は、デモ表示モードあるか否かを示す信号に応じて、映像の部分拡大処理を行うことを特徴とする映像処理装置。
【請求項５】
請求項１に記載の映像処理装置であって、
前記映像処理部は、前記色成分の画素値の補間処理の前後の映像信号の差分を算出し、該算出した差分に応じた強調表示処理を行うことを特徴とする映像処理装置。
【請求項６】
請求項１に記載の映像処理装置であって、
前記映像処理部は、前記色成分の画素値の補間処理の前に輝度成分の復元処理を行うことを特徴とする映像処理装置。
【請求項７】
請求項１乃至６に記載の映像処理装置に、さらに映像表示部を備えることを特徴とする映像表示装置。
【請求項８】
映像信号の色成分の情報量を削減する色成分削減処理部と、
映像信号の輝度成分の空間的な変化の絶対値に基づいて前記映像信号の色成分の画素値の補間処理をおこなう色成分復元部とを備え、
デモ表示モードあるか否かを示す信号に応じて、前記色成分復元部で色成分の画素値の補間処理を行う映像信号を、前記色成分削減処理部における色成分削減処理を行った映像信号とするか、前記色成分削減処理部における色成分削減処理を行わなかった映像信号とするかを切換えることを特徴とする映像処理装置。
【請求項９】
請求項８に記載の映像処理装置に、さらに映像表示部を備えることを特徴とする映像表示装置。
【発明の詳細な説明】
【技術分野】
【０００１】
本発明は、映像処理技術に関する。
【背景技術】
【０００２】
入力された映像信号の色成分の画素値を修正することで、カラーのにじみをとり除くことを図る技術が、例えば特許文献１に開示されている。
【先行技術文献】
【特許文献】
【０００３】
【特許文献１】特開平11-127454
【発明の概要】
【発明が解決しようとする課題】
【０００４】
しかしながら、特許文献１には、色の解像度を復元する具体的な構成が開示されていない。また、色の解像度の復元効果を視覚的に分かりやすくアピールすることについての開示も一切なかった。
【０００５】
本発明は上記課題に鑑みてなされたものであり、その目的は、より好適に色成分の復元処理を行うことにある。
【課題を解決するための手段】
【０００６】
上記課題を解決するための、本発明の一実施の態様は、例えば、映像の情報量を削減して伝送された入力映像信号を入力し、入力映像信号の輝度成分の空間的な変化の絶対値に基づいて前記映像信号の色成分の画素値の補間処理をおこなう映像処理部を備える構成とすれば良い。
【発明の効果】
【０００７】
本発明によれば、より好適に色成分の復元処理を行うことができる。
【図面の簡単な説明】
【０００８】
【図１】本発明の実施例３に係る映像処理装置を示すブロック図である。
【図２】本発明の実施例１に係る映像処理装置を示すブロック図である。
【図３】本発明の実施例１に係る入力信号の形式を示す図である。
【図４】本発明の実施例１に係る色成分復元部を示すブロック図である。
【図５】本発明の実施例１に係るライン遅延部を示すブロック図である。
【図６】本発明の実施例１に係る画素遅延部を示すブロック図である。
【図７】本発明の実施例１に係る色成分復元部に入力される輝度信号の座標を示す図である。
【図８】本発明の実施例１に係る色成分復元部に入力される色信号の座標を示す図である。
【図９】本発明の実施例２に係る映像処理装置を示すブロック図である。
【図１０】本発明の実施例３に係る色成分復元部を示すブロック図である。
【図１１】本発明の実施例３に係るコントラスト補正部を示すブロック図である。
【図１２】本発明の実施例４に係る映像処理装置を示すブロック図である。
【図１３】本発明の実施例４に係る疑似４：２：０化部を示すブロック図である。
【図１４】本発明の実施例４に係る疑似４：２：０化部の処理を示す図である。
【図１５】本発明の実施例５に係る映像処理装置を示すブロック図である。
【図１６】本発明の実施例６に係る映像処理装置を示すブロック図である。
【図１７】本発明の実施例６に係る差分表示部を示すブロック図である。
【図１８】本発明の実施例７に係る映像処理装置を示すブロック図である。
【図１９】本発明の実施例７に係る輝度成分復元部を示すブロック図である。
【発明を実施するための形態】
【０００９】
以下、本発明を実施するための好ましい形態について、図面を参照しつつ以下に説明する。
【実施例１】
【００１０】
まず、本発明の実施例１について説明する。
【００１１】
図２は、本発明の実施例１に係る映像処理装置等の回路ブロック図を示すものであって、映像信号出力装置１００、色成分復元部２００、ディスプレイ３００が示されている。以下、各要素の動作、詳細について説明する。
【００１２】
映像信号出力装置１００は、Ｙ信号４００、Ｃｂ信号５００、Ｃｒ信号６００を色成分復元部２００へ出力する装置であり、記録媒体再生装置や放送波の受信装置である。色成分復元部２００は、映像信号出力装置１００からの映像信号を入力とし、色成分の解像感を向上させた映像信号をディスプレイ３００に対して出力する。ディスプレイ３００は、色成分復元部２００から、Ｙ信号７００、Ｃｂ信号８００、Ｃｒ信号９００を受けとり、光として出力する装置であり、典型的には液晶ディスプレイやプラズマディスプレイである。
【００１３】
色成分復元部２００のみを本実施例の映像処理装置とし、その他の映像信号出力装置１００、ディスプレイ３００を外部装置としてもよい。この場合は、本実施例の映像処理装置は、色成分復元装置となる。また、色成分復元部２００とディスプレイ３００とを含む構成を本実施例の映像処理装置としてもよい。この場合は、本実施例の映像処理装置は、映像表示装置となる。また、映像信号出力装置１００が放送波の受信装置（例えばチューナ）である場合は、映像信号出力装置１００と色成分復元部２００とを含む構成を本実施例の映像処理装置としてもよい。この場合は、本実施例の映像処理装置は、放送信号処理装置となる。
【００１４】
図３は、映像信号出力装置１００が出力するＹ信号４００、およびＣｂ信号５００、およびＣｒ信号６００の画素構成を示すものである。一般的に映像信号は４：２：０形式で記録されていることが多い。これは、Ｙ信号４００、およびＣｂ／Ｃｒ信号５０１として示すように、Ｙ信号は１画素ごと、ＣｂおよびＣｒ信号は水平２画素、垂直２画素のブロックごとに画素値を記録する形式である。
ここで、４：２：０形式は、ヒトの視覚が輝度に比べて色には鈍感であるという性質を利用した画像の情報量の削減手法として広く利用されている。例えば、ＤＶＤやＢｌｕ−ｒａｙ  ｄｉｓｃ（登録商標）、さらには放送波の映像信号にも４：２：０形式が利用されている。しかし、４：２：０形式で色成分の劣化がまったく生じないわけではなく、映像によっては色成分の空間解像度が落ちたような印象を受けることもあり、充分とはいえなかった。以上のように４：２：０形式は映像の情報量を削減して伝送、伝達する形式である。
【００１５】
色成分復元部２００は、４：２：０のＣｂ／Ｃｒ信号５０１に対して適応的な画素値補間を行うことで、失われた解像感を復元する。
【００１６】
なお、以降では説明を簡単にするために、Ｃｂ／Ｃｒ信号５０１の画素値は、図３のＣｂ信号５００およびＣｒ信号６００のように各画素に割り当ててあるものとする。
【００１７】
図４は、色成分復元部２００の内部構成を示すブロック図である。色成分復元部２００は、ライン遅延部２１０から２１２、画素遅延部２２０から２２３、補間処理部２３０および２３１から構成される。
【００１８】
まず、ライン遅延部２１０について、図５を用いて説明する。図５は、ライン遅延部２１０の内部構成を示したブロック図である。なお、ライン遅延部２１１およびライン遅延部２１２も、入出力される信号が異なるだけで構成は同一である。ライン遅延部は、ラインメモリ２１５から２１８を有する。ラインメモリ２１５から２１８は、それぞれ１画面中の１行分の画素値を蓄えるためのメモリであり、通常はＳＲＡＭ（Ｓｔａｔｉｃ  Ｒａｎｄｏｍ  Ａｃｃｅｓｓ  Ｍｅｍｏｒｙ）によって実現され、ＦＩＦＯ（Ｆｉｒｓｔ−ｉｎ  Ｆｉｒｓｔ−ｏｕｔ）型に構成される。入力信号４００は、そのまま出力信号７０２としてライン遅延部２１０から出力され、また、ラインメモリ２１５に入力される。ラインメモリ２１５から２１８は直列に接続され、各ラインメモリの出力からはライン分遅延された信号が出力される。ラインメモリ２１６の出力は出力信号７１０としてライン遅延部２１０から出力される。これは入力信号４００を２ライン分遅延させた信号である。ラインメモリ２１８の出力は出力信号７０１としてライン遅延部２１０から出力される。これは入力信号４００を４ライン分遅延させた信号である。
【００１９】
次に、画素遅延部２２０について、図６を用いて説明する。図６は、画素遅延部２２０の内部構成を示したブロック図である。なお、画素遅延部２２１から２２３も、入出力される信号が異なるだけで構成は同一である。画素遅延部２２０は、画素メモリ２２１から２２８を有する。画素メモリ２２１から２１４は、それぞれ１画素分の画素値を蓄えるためのメモリであり、通常はフリップフロップ素子によって実現される。入力信号７００は、そのまま出力信号７１４として画素遅延部２２０から出力され、また画素メモリ２２１に入力される。画素メモリ２２１から２２４は直列に接続され、各画素メモリの出力からは画素遅延された信号が出力される。画素メモリ２２２の出力は出力信号７００として画素遅延部２２０から出力され、これは入力信号７１０を２画素分遅延させた信号である。画素メモリ２２４の出力は出力信号７１３として画素遅延部２２０から出力され、これは入力信号７１０を４画素分遅延させた信号である。入力信号７０２は画素メモリ２２５から２２６によって２画素分遅延され、出力信号７１２として画素遅延部２２０から出力される。入力信号７０１は画素メモリ２２７から２２８によって２画素分遅延され、出力信号７１１として画素遅延部２２０から出力される。
【００２０】
次に、補間処理部２３０について、図４を用いて説明する。入力Ｙ信号４００はライン遅延部２１０によりライン遅延され、４ライン遅延されたＹ信号７０１、および２ライン遅延されたＹ信号７１０、および遅延されないＹ信号７０２となる。Ｙ信号７０２は、画素遅延部２２０によって２画素分遅延され、Ｙ信号７１２として補間処理部２３０に入力される。同様に、Ｙ信号７０１は、画素遅延部２２０によって２画素分遅延され、Ｙ信号７１１として補間処理部２３０に入力される。また、Ｙ信号７１０は、画素遅延部２２０によって画素遅延され、４画素遅延されたＹ信号７１３、および２画素遅延されたＹ信号７００、および遅延されないＹ信号７１４として補間処理部２３０に入力される。このうちＹ信号７００はそのまま色成分復元部２００の出力Ｙ信号となる。すなわち、補間処理部２３０には、ライン遅延部２１０および画素遅延部２２０によって、図７に示すような配置で入力Ｙ信号４００から画素値が入力される。
【００２１】
次に、入力Ｃｂ信号５００も、入力Ｙ信号４００と同様にライン遅延部２１１に入力され、４ライン遅延されたＣｂ信号８０１、および２ライン遅延されたＣｂ信号８０３、および遅延されないＣｂ信号８０２となる。Ｃｂ信号８０２は、画素遅延部２２１によって２画素分遅延され、Ｃｂ信号８１２として補間処理部２３０に入力される。また、Ｃｂ信号８０１は、画素遅延部２２１によって２画素分遅延され、Ｃｂ信号８１１として補間処理部２３０に入力される。また、Ｃｂ信号８０３は、画素遅延部２２１によって画素遅延され、４画素遅延されたＣｂ信号８１３、および遅延されないＣｂ信号８１４として補間処理部２３０に入力される。すなわち、補間処理部２３０には、ライン遅延部２１１および画素遅延部２２１によって、図８に示すような配置で入力Ｃｂ信号５００から画素値が入力される。
【００２２】
補間処理部２３０は、Ｙ信号７００およびＹ信号７１１から７１４を参照して、Ｃｂ信号８１１から８１４から、出力Ｃｂ信号８００を生成し出力する。なお、出力Ｃｂ８００は、図７および図８に示す通り、出力Ｙ信号７００と同一座標の信号となる。ここで、補間処理部２３０は、Ｙ信号の空間的な変化の割合に応じて、Ｃｂ信号８００を、Ｃｂ信号８１１から８１４のフィルタ処理によって求める。これは、一般的な映像では、Ｃｂ信号の空間的な変化はＹ信号の空間的な変化と相関があるためである。
【００２３】
また、入力Ｃｒ信号６００に対しても、入力Ｃｂ信号と同様に処理が行われ、出力Ｃｒ信号９００が出力される。
【００２４】
以上の処理は、１画面中を左上から右下に向かって走査しながら、全画素に対して適用する。
【００２５】
以上の構成により、４：２：０によって失われたＣｂ信号を再現し、解像感を向上させることが可能となる。
【００２６】
以上説明した本発明の実施例１によれば、より好適に色成分の復元処理を行う構成を提供できる。
【実施例２】
【００２７】
次に本発明の実施例２について説明する。
【００２８】
図９は、本発明の実施例２に係る映像処理装置等の回路ブロックを示すものである。本図には映像信号出力装置１００、ＹＣｂＣｒ−ＲＧＢ変換部３１００、ＲＧＢ−ＹＣｂＣｒ変換部３２００、ディスプレイ３００、色成分復元部２０１が示されている。以下、各要素の動作、詳細について説明する。なお、映像信号出力装置１００およびディスプレイ３００の動作は、実施例１で説明したものと同一であるため省略する。
【００２９】
ここで、ＣｂＣｒ−ＲＧＢ変換部３１００、色成分復元部２００、ＲＧＢ−ＹＣｂＣｒ変換部３２００を含む構成を本実施例の映像処理装置とし、その他の映像信号出力装置１００、ディスプレイ３００を外部装置としてもよい。この場合は、本実施例の映像処理装置は、色成分復元装置となる。また、ＣｂＣｒ−ＲＧＢ変換部３１００、色成分復元部２００、ＲＧＢ−ＹＣｂＣｒ変換部３２００とディスプレイ３００とを含む構成を本実施例の映像処理装置としてもよい。この場合は、本実施例の映像処理装置は、映像表示装置となる。また、映像信号出力装置１００が放送波の受信装置（例えばチューナ）である場合は、映像信号出力装置１００とＣｂＣｒ−ＲＧＢ変換部３１００、色成分復元部２００、ＲＧＢ−ＹＣｂＣｒ変換部３２００とを含む構成を本実施例の映像処理装置としてもよい。この場合は、本実施例の映像処理装置は、放送信号処理装置となる。
【００３０】
ＹＣｂＣｒ−ＲＧＢ変換部３１００は、例えば、ＩＴＵ−Ｒ  ＢＴ．６０１に規定される色空間の変換式を用いて、入力されるＹＣｂＣｒ色形式を、ＲＧＢ色形式に変換して出力する。このとき、具体的には数式１、数式２、数式３を用いて色変換を行う。
（数１）
Ｒ  ＝  Ｙ                  ＋１．４０２×Ｃｒ  
（数２）
Ｇ  ＝  Ｙ−０．３４４×Ｃｂ−０．７１４×Ｃｒ  
（数３）
Ｂ  ＝  Ｙ＋１．７２２×Ｃｂ                    
次に、色成分復元部２０１について、図１０を用いて説明する。図１０は色成分復元部の内部構成を示す回路ブロック図である。
【００３１】
色成分復元部２０１は、実施例１で説明した色成分復元部２００から、ライン遅延部２１２、画素遅延部２２２から２２３、補間処理部２３１を除外し、ラインメモリ２４０および２４１、および画素メモリ２５１から２５４を追加したものである。入力Ｒ信号３３００の処理は、実施例１で説明した色成分復元部２００の入力Ｃｂ信号の処理と同一である。入力Ｇ信号３３０１は、ラインメモリ２４０および画素メモリ２５１から２５２によって、１ラインと２画素分遅延され、出力Ｇ信号３５０１として出力される。同様に入力Ｂ信号３３０２も、ラインメモリ２４１および画素メモリ２５３から２５４によって、１ラインと２画素分遅延され、出力Ｇ信号３５０２として出力される。すなわち、図１０の構成では、Ｒ信号のみ色成分の復元処理をおこない、Ｇ信号、Ｂ信号については色成分の復元処理をおこなわない。
【００３２】
次に、ＲＧＢ−ＹＣｂＣｒ変換部３２００は、ＩＴＵ−Ｒ  ＢＴ．６０１に規定される色空間の変換式を用いて、入力されるＲＧＢ色形式を、ＹＣｂＣｒ色形式に変換して出力する。このとき、具体的には、具体的には、数式４から数式６を用いて変換を行う。
（数４）
Ｙ    ＝    ０．２９９×Ｒ＋０．５８７×Ｇ＋０．１４４×Ｂ  
（数５）
Ｃｂ  ＝  −０．１６９×Ｒ−０．３１１×Ｇ＋０．５００×Ｂ  
（数６）
Ｃｒ  ＝    ０．５００×Ｒ−０．４１９×Ｇ−０．０８１×Ｂ
以上の構成により、色成分復元部２０１の補間処理部が、実施例１で説明した図４の色成分復元部２００の構成に比べて、補間処理部の数を低減することができ、大幅に回路規模が削減されるため、映像処理装置は、より低コストで実装が可能となる。また、色成分の復元効果が視覚的に確認できる色は、ほぼ赤色に限定される。これはヒトの視覚特性によるものである。このため、Ｒ成分のみに対する色成分の復元処理でも、復元効果の低下は少ない。さらに、一般的に、Ｙ成分の変化の絶対値とＣｂおよびＣｒ成分の変換の絶対値の相関に比べて、Ｙ成分の変化の絶対値とＲ成分の変化の絶対値の相関の方が高いため、本構成の方が復元の効果が向上する映像も多い。
【００３３】
以上説明した本発明の実施例２によれば、好適に色成分の復元処理を行う装置をより簡便な構成で実現できる。
【実施例３】
【００３４】
次に、本発明の実施例３について説明する。
【００３５】
図１は、本発明の実施例３に係る映像処理装置等の回路ブロック図を示すものであって、映像信号出力装置１００、色成分復元部２００、ディスプレイ３００、コントラスト補正部１３００、セレクタ１２００、デモモード信号１４００の入力手段が示されている。以下、各要素の動作、詳細について説明する。映像信号出力装置１００および色成分復元部２００およびディスプレイ３００の動作は、実施例１で説明したものと同一であるため省略する。
【００３６】
ここで、色成分復元部２００、コントラスト補正部１３００、セレクタ１２００、デモモード信号１４００の入力手段を含む構成を本実施例の映像処理装置とし、その他の映像信号出力装置１００、ディスプレイ３００を外部装置としてもよい。この場合は、本実施例の映像処理装置は、色成分復元装置となる。また、成分復元部２００、コントラスト補正部１３００、セレクタ１２００、デモモード信号１４００の入力手段とディスプレイ３００とを含む構成を本実施例の映像処理装置としてもよい。この場合は、本実施例の映像処理装置は、映像表示装置となる。また、映像信号出力装置１００が放送波の受信装置（例えばチューナ）である場合は、映像信号出力装置１００と成分復元部２００、コントラスト補正部１３００、セレクタ１２００、デモモード信号１４００の入力手段とを含む構成を本実施例の映像処理装置としてもよい。この場合は、本実施例の映像処理装置は、放送信号処理装置となる。
【００３７】
コントラスト補正部１３００は、入力されたＹ信号７００に対して、より明暗がはっきりしたコントラスト感が高い映像を生成し、セレクタ１５００に出力する。
【００３８】
次に、図１１を用いてコントラスト補正部１３００について詳しく説明する。図１１はコントラスト補正部の内部構成を示す回路ブロック図である。コントラスト補正部１３００は、ヒストグラム検出部１３１０、ヒストグラム加算部１３２０、ヒストグラム平坦化部１３３０を有する。コントラスト補正部１３００は、具体的には次の処理を行う。まず、ヒストグラム検出部１３１０は、入力されたＹ信号７００の１画面分の輝度ヒストグラムを生成し、ヒストグラムｈ（ｙ）とする（ｙは輝度値）。次に、ヒストグラム加算部１３２０は、数式７により、ヒストグラムｈ（ｙ）から注目輝度値ｚまでのヒストグラム値の累積加算数を求める。
（数７）
Ｐ（ｙ）＝１／（ｎＰｉｘｅｌｓ）・Σｈ（ｉ）  
但し、Σはｉ＝０からｚ
最後に、ヒストグラム平坦化部１３３０は、数式８により、コントラスト感が高くなるように補正されたＹ信号１０００を出力する。
（数８）
Ｙ’＝Ｚｍａｘ・Ｐ（ｙ）
但し、Ｚｍａｘは１画面中の最高輝度値
コントラスト補正部１３００によりコントラスト補正されたＹ信号１０００は、入力Ｙ信号７００、デモモード信号１４００とともに、セレクタ１２００に入力される。セレクタ１２００は、デモモード信号１４００がデモ状態を示しているときには、コントラスト補正されたＹ信号１０００を、通常状態を示しているときにはＹ信号７００を、ディスプレイ３００へ出力する。
【００３９】
以上の動作により、映像処理装置は、デモモードのとき、色成分が復元されたＣｂ信号、Ｃｒ信号を、コントラスト補正したＹ信号とともに出力する。これにより、色成分が復元された映像信号をコントラスト補正した状態で出力することが可能となる。一般に、色成分の復元処理の効果は一見して分かりにくいことが多いが、映像をコントラスト補正することで、復元効果が見えやすくなり、より効果的にデモすることが可能となる。また、デモモード信号に応じてコントラスト補正の有無を切り替える構成とすることで、デモモードを入力映像と関係なく設定できる。これにより、サンプル映像に限らず一般映像を用いた効果的なデモが可能となる。尚、コントラスト補正１３００およびセレクタ１２００は、映像信号出力装置１００と色成分復元部２００の間に配置する構成としても同様の効果を得ることができる。
【００４０】
以上説明した本発明の実施例３によれば、色の解像度の復元効果を視覚的に分かりやすくアピールすることが可能となる。
【実施例４】
【００４１】
次に、本発明の実施例４について説明する。
【００４２】
図１２は、本発明の実施例４に係る映像処理装置等の回路ブロック図を示すものであって、映像信号出力装置１００、色成分復元部２００、ディスプレイ３００、疑似４：２：０化部１５００、セレクタ１６００、１６０１、１６０２、１７００、１７０１、１７０２、デモモード信号１４００の入力手段が示されている。以下、各要素の動作、詳細について説明する。映像信号出力装置１００および色成分復元装置２００およびディスプレイ３００の動作は、実施例１で説明したものと同一であるため省略する。
【００４３】
ここで、色成分復元部２００、疑似４：２：０化部１５００、セレクタ１６００、１６０１、１６０２、１７００、１７０１、１７０２、デモモード信号１４００の入力手段を含む構成を本実施例の映像処理装置とし、その他の映像信号出力装置１００、ディスプレイ３００を外部装置としてもよい。この場合は、本実施例の映像処理装置は、色成分復元装置となる。また、疑似４：２：０化部１５００、セレクタ１６００、１６０１、１６０２１７００、１７０１、１７０２、デモモード信号１４００の入力手段とディスプレイ３００とを含む構成を本実施例の映像処理装置としてもよい。この場合は、本実施例の映像処理装置は、映像表示装置となる。また、映像信号出力装置１００が放送波の受信装置（例えばチューナ）である場合は、映像信号出力装置１００と疑似４：２：０化部１５００、セレクタ１６００、１６０１、１６０２、１７００、１７０１、１７０２、デモモード信号１４００の入力手段とを含む構成を本実施例の映像処理装置としてもよい。この場合は、本実施例の映像処理装置は、放送信号処理装置となる。
【００４４】
図１３は、疑似４：２：０化部１５００の内部構成を示す回路ブロック図である。疑似４：２：０化部は、ラインメモリ１５１０から１５１２、画素メモリ１５２０から１５２３、平均部１５３０および１５３１を有する。入力Ｃｂ信号５００は、ラインメモリ１５１１および画素メモリ１５２１および１５２２によって遅延され、水平２画素×垂直２画素のブロック単位で平均部１５３０に入力される。平均部１５３０は、入力された４画素の画素値を平均し、出力Ｃｂ信号１９００として出力する。入力Ｃｒ信号６００も、入力Ｃｂ信号５００と同様に、水平２画素×垂直２画素のブロック単位で平均化され、出力信号２０００として出力される。入力Ｙ信号４００はラインメモリ１５１０および画素メモリ１５２０によって、Ｃｂ信号１９００およびＣｒ信号２０００との遅延量の調整がなされた上で、出力Ｙ信号１８００として出力される。入力Ｙ信号４００と出力Ｙ信号１８００は、遅延量の違いがあるだけで、画素値は同一である。
【００４５】
次に、図１４を用いて、疑似４：２：０化の処理について説明する。図１４は、疑似４：２：０化部の入出力の画素値を示した図である。図示されるように、疑似４：２：０化部１５００によって、Ｙ信号４００はそのままＹ信号１８００となり、Ｃｂ信号５００およびＣｒ信号６００は、視覚的に４：２：０形式にされＣｂ信号１９００およびＣｒ信号２０００となる。疑似４：２：０化部１５００によって疑似４：２：０化されたＹ信号１８００、Ｃｒ信号１８０１、Ｃｂ信号１８０２は、Ｙ信号４００、Ｃｂ信号６００、Ｃｒ信号６００およびデモモード信号１４００とともに、セレクタ１７００、１７０１、及び１７０２へそれぞれ入力される。セレクタ１７００、１７０１、及び１７０２は、デモモード信号１４００が、デモ状態を示しているときには、疑似４：２：０化されたＹ信号１８００、Ｃｒ信号１８０１、Ｃｂ信号１８０２を出力し、デモモード信号１４００が通常状態を示しているときには、Ｙ信号４００、Ｃｂ信号５００、Ｃｒ信号６００を、それぞれＹ信号１９００、Ｃｂ信号１９０１、Ｃｒ信号１９０２として出力する。Ｙ信号１９００、Ｃｂ信号１９０１、Ｃｒ信号１９０２は、色成分復元部２００に入力されるとともに、セレクタ１６００、１６０１、及び１６０２へもそれぞれ入力される。セレクタ１６００、１６０１、及び１６０２は、デモモード信号１４００が、デモ状態を示しているときには、Ｙ信号１９００、Ｃｒ信号１９０１、Ｃｂ信号１９０２を出力し、デモモード信号１４００が通常状態を示しているときには、Ｙ信号７００、Ｃｂ信号８００、Ｃｒ信号９００を、ディスプレイ３００へ出力する。
【００４６】
以上の構成により、映像信号出力装置の出力信号の色成分に劣化が少ない場合でも、デモモードのときには強制的に映像信号を４：２：０形式化して、色成分の復元の効果をより効果的にデモすることが可能となる。これは、映像信号出力装置として、色成分の復元回路が内蔵された記録媒体再生装置や放送波のチューナーが用いられた場合や、４：４：４形式出力が可能な映像信号源を用いた場合を想定している。
【００４７】
以上説明した本発明の実施例４によれば、入力映像が色成分に劣化が少ない映像の場合でも、色の解像度の復元効果を視覚的に分かりやすくアピールすることが可能となる。
【実施例５】
【００４８】
次に、本発明の実施例５について説明する。
【００４９】
図１５は、本発明の実施例５に係る映像処理装置等の回路ブロック図を示すものであって、映像信号出力装置１００、色成分復元部２００、拡大部２１００、ディスプレイ３００、セレクタ２２００、２２０１、２２０２、デモモード信号１４００の入力手段が示されている。以下、各要素の動作、詳細について説明する。映像信号出力装置１００および色成分復元部２００およびディスプレイ３００の動作は、実施例１で説明したものと同一であるため省略する。
【００５０】
ここで、色成分復元部２００、拡大部２１００、セレクタ２２００、２２０１、２２０２、デモモード信号１４００の入力手段を含む構成を本実施例の映像処理装置とし、その他の映像信号出力装置１００、ディスプレイ３００を外部装置としてもよい。この場合は、本実施例の映像処理装置は、色成分復元装置となる。また、色成分復元部２００、拡大部２１００、セレクタ２２００、２２０１、２２０２、デモモード信号１４００の入力手段とディスプレイ３００とを含む構成を本実施例の映像処理装置としてもよい。この場合は、本実施例の映像処理装置は、映像表示装置となる。また、映像信号出力装置１００が放送波の受信装置（例えばチューナ）である場合は、映像信号出力装置１００と色成分復元部２００、拡大部２１００、セレクタ２２００、２２０１、２２０２、デモモード信号１４００の入力手段とを含む構成を本実施例の映像処理装置としてもよい。この場合は、本実施例の映像処理装置は、放送信号処理装置となる。
【００５１】
拡大部２１００は、Ｙ信号７００およびＣｂ信号８００およびＣｒ信号９００を、数式９に示す最近傍拡大法により例えば２倍に拡大して、Ｙ信号２３００、Ｃｂ信号２３０１、Ｃｒ信号２３０２として出力する。
（数９）
ｏｕｔ（ｚ）＝ｉｎ（ｒｏｕｎｄ（ｚ／ｎ））
但し、ｚは座標、ｎは拡大率、ｒｏｕｎｄ（）は四捨五入。
【００５２】
セレクタ２２００から２２０２は、デモモード信号１４００がデモ状態を示しているときには、拡大されたＹ信号２３００、Ｃｒ信号２３０１、Ｃｂ信号２３０２を出力し、デモモード信号１４００が通常状態を示しているときには、Ｙ信号７００、Ｃｂ信号８００、Ｃｒ信号９００を、それぞれＹ信号２４００、Ｃｂ信号２４０１、Ｃｒ信号２４０２として出力する。Ｙ信号２４００、Ｃｂ信号２４０１、Ｃｒ信号２４０２は、ディスプレイ部３００に入力される。
【００５３】
以上の構成により、デモモードのときに、色成分が復元された映像を強制的に拡大して、色成分の復元効果をより効果的にデモすることが可能となる。
【００５４】
以上説明した本発明の実施例５によれば、色の解像度の復元部分を拡大して復元効果を視覚的に分かりやすくアピールすることが可能となる。
【実施例６】
【００５５】
次に、本発明の実施例６について説明する。
【００５６】
図１６は、本発明の実施例６に係る映像処理装置等の回路ブロック図を示すものである。本図には映像信号出力装置１００、色成分復元部２００、差分部２６００および２６０１、差分表示部２５００、セレクタ２７００、２７０１、２７０２、ディスプレイ３００が示されている。以下、各要素の動作、詳細について説明する。映像信号出力装置１００および色成分復元部２００およびディスプレイ３００の動作は、実施例１で説明したものと同一であるため省略する。
【００５７】
ここで、色成分復元部２００、差分部２６００および２６０１、差分表示部２５００、セレクタ２７００、２７０１、２７０２、デモモード信号１４００の入力手段を含む構成を本実施例の映像処理装置とし、その他の映像信号出力装置１００、ディスプレイ３００を外部装置としてもよい。この場合は、本実施例の映像処理装置は、色成分復元装置となる。また、色成分復元部２００、差分部２６００および２６０１、差分表示部２５００、セレクタ２７００、２７０１、２７０２、デモモード信号１４００の入力手段とディスプレイ３００とを含む構成を本実施例の映像処理装置としてもよい。この場合は、本実施例の映像処理装置は、映像表示装置となる。また、映像信号出力装置１００が放送波の受信装置（例えばチューナ）である場合は、映像信号出力装置１００と色成分復元部２００、差分部２６００および２６０１、差分表示部２５００、セレクタ２７００、２７０１、２７０２、デモモード信号１４００の入力手段とを含む構成を本実施例の映像処理装置としてもよい。この場合は、本実施例の映像処理装置は、放送信号処理装置となる。
【００５８】
差分部２６００は、入力Ｃｂ信号５００と入力Ｃｂ信号８００の差分絶対値を計算し、差分値２８００として、差分表示部２５００へ出力する。差分部２６０１も同様に、入力Ｃｒ信号６００と入力Ｃｒ信号９００の差分絶対値を計算し、差分値２８０１として、差分表示部２５００へ出力する。
【００５９】
次に、図１７を用いて差分表示部２５００について説明する。図１７は、差分表示部２５００の内部構成の回路ブロックを示すものである。図示されるように、差分表示部２５００は、閾値処理部２５１０及び２５１１、ＡＮＤ部２５３０、セレクタ２５２０、２５２１、及び２５２２、を有する。閾値処理部２５１０は、Ｃｒ信号の差分絶対値２８００が定数Kbを閾値処理し、超えていた場合はＴｒｕｅ、超えていなかった場合はＦａｌｓｅを、Ｃｂ閾値処理信号２５４０として、ＡＮＤ部２５３０へ出力する。閾値処理部２５１１も、閾値処理部２５１０と同様に、Ｃｒ信号の差分絶対値２８０１が定数Krを閾値処理し、超えていた場合はＴｒｕｅ、超えていなかった場合はＦａｌｓｅを、Ｃｒ閾値処理信号２５４１として、ＡＮＤ部２５３０へ出力する。ＡＮＤ部２５３０は、Ｃｂ閾値処理信号２５４０とＣｒ閾値処理信号２５４１の論理積（ＡＮＤ）を計算し、閾値処理信号２５５０として、セレクタ２５２０、２５２１、及び２５２２へ出力する。セレクタ２５２０、２５２１、及び２５２２は、閾値処理信号２５５０がＴｒｕｅのときには、定数Ly、定数Lb、定数Lrを、閾値処理信号２５５０がＦａｌｓｅのときには、Ｙ信号７００、Ｃｂ信号８００、Ｃｒ信号９００を、それぞれＹ信号２９００、Ｃｂ信号２９０１、Ｃｒ信号２９０２として出力する。
【００６０】
また、例えば、セレクタ２５２０、２５２１、及び２５２２は、内部に時間カウンタを備え、閾値処理信号２５５０がＴｒｕｅのときには、定数Ly、定数Lb、定数Lrと、Ｙ信号７００、Ｃｂ信号８００、Ｃｒ信号９００を、一定時間ごとに切り替えて、それぞれＹ信号２９００、Ｃｂ信号２９０１、Ｃｒ信号２９０２として出力するように構成してもよい。
【００６１】
次に、セレクタ２７００から２７０２は、デモモード信号１４００がデモ状態を示しているときには、差分が強調されたＹ信号２９００、Ｃｒ信号２９０１、Ｃｂ信号２９０２を出力し、デモモード信号１４００が通常状態を示しているときには、Ｙ信号７００、Ｃｂ信号８００、Ｃｒ信号９００を、それぞれＹ信号３０００、Ｃｂ信号３００１、Ｃｒ信号３００２として出力する。Ｙ信号３０００、Ｃｂ信号３００１、Ｃｒ信号３００２は、ディスプレイ部３００に入力される。
【００６２】
以上の構成により、デモモードのときに、色成分が復元された映像中で、とくに変化が大きく効果がよくわかる領域を特定の色で表示することで、色成分の復元効果をより効果的にデモすることが可能となる。
【００６３】
また、例えば、変化が大きく効果がよくわかる領域を点滅表示することで、色成分の復元の効果をより効果的にデモすることが可能となる。
【００６４】
以上説明した本発明の実施例６によれば、色の解像度の復元部分で変化の大きい部分を特定色で表示または特定色の点滅表示するなどの強調表示処理を行い復元効果を視覚的に分かりやすくアピールすることが可能となる。
【実施例７】
【００６５】
次に、本発明の実施例７について説明する。
【００６６】
図１８は、本発明の実施例７に係る映像処理装置等の回路ブロック図を示すものであって、映像信号出力装置１００、色成分復元部２００、輝度成分復元部３０００、ディスプレイ３００が示されている。以下、各要素の動作、詳細について説明する。映像信号出力装置１００および色成分復元部２００およびディスプレイ３００の動作は、実施例１で説明したものと同一であるため省略する。
【００６７】
ここで、色成分復元部２００および輝度成分復元部３０００を含む構成を本実施例の映像処理装置とし、その他の映像信号出力装置１００、ディスプレイ３００を外部装置としてもよい。この場合は、本実施例の映像処理装置は、輝度成分・色成分復元装置となる。また、色成分復元部２００および輝度成分復元部３０００とディスプレイ３００とを含む構成を本実施例の映像処理装置としてもよい。この場合は、本実施例の映像処理装置は、映像表示装置となる。また、映像信号出力装置１００が放送波の受信装置（例えばチューナ）である場合は、映像信号出力装置１００と色成分復元部２００および輝度成分復元部３０００とを含む構成を本実施例の映像処理装置としてもよい。この場合は、本実施例の映像処理装置は、放送信号処理装置となる。
【００６８】
図１９は、輝度成分復元部３０００の内部構成を示す回路ブロック図である。輝度成分復元部３０００は、輝度成分復元フィルタ３０１０、遅延部３０２０および３０３０を有する。輝度成分復元フィルタ３０１０は、入力された映像信号のＹ信号４００から、解像感を向上させたＹ信号３１００を出力する。この処理は、例えば、「Ｓ．Ｂａｋｅｒ，  Ｔ．Ｋａｎａｄｅ，  “Ｌｉｍｉｔｓ  ｏｎ  ｓｕｐｅｒ−ｒｅｓｏｌｕｔｉｏｎ  ａｎｄ  ｈｏｗ  ｔｏ  ｂｒｅａｋ  ｔｈｅｍ”，  Ｐａｔｔｅｒｎ  Ａｎａｌｙｓｉｓ  ａｎｄ  Ｍａｃｈｉｎｅ  Ｉｎｔｅｌｌｉｇｅｎｃｅ，  ＩＥＥＥ  Ｔｒａｎｓａｃｔｉｏｎｓ  ｏｎ，  Ｖｏｌ．  ２４，  ｐｐ．  １１６７，  ２００２」に記載されている手法などを用いて実現可能である。遅延部３０２０および３０３０は、Ｃｂ信号５００およびＣｒ信号６００を遅延させるメモリである。遅延部３０２０および３０３０は、輝度成分復元フィルタ３０１０の処理によって引き起こされるＹ信号３１００の遅延に合わせて、入力Ｃｂ信号５００を遅延させ、Ｃｂ信号３２００として、同様に、入力Ｃｒ信号６００も遅延させＣｒ信号３３００として、出力する。輝度復元部３０００から出力される解像感が向上されたＹ信号３１００、および遅延されたＣｂ信号３２００、および遅延されたＣｒ信号３３００は、色成分復元部２００に送られ、色成分の復元処理がなされる。
【００６９】
以上の構成により、色成分の復元の前処理として、輝度信号の解像感の復元がなされる。本実施例の色成分復元部は、輝度信号の変化に基づいて色成分を復元するため、本構成により色成分の復元効果がより向上することが期待できる。
【００７０】
また、一般的に輝度成分復元フィルタ３０１０は、回路規模や必要なメモリ量が膨大であるため、同様の処理を色成分に適用すると高コストとなる。これに対して、本実施例の色成分復元部２００は回路規模が小さく必要なメモリ量が少ない。よって、本実施例のように、輝度成分復元フィルタ３０１０と色成分復元部２００を組み合わせることによって、輝度および色成分の解像感の向上を、最小限の回路規模および必要メモリ量で実現することができる。
【００７１】
以上説明した本発明の実施例７によれば、輝度信号の解像度させることにより、色の解像度の復元効果をさらに高めることが可能となる。
【符号の説明】
【００７２】
１００  映像信号出力装置
２００  色成分復元部
３００  ディスプレイ
２１０、２１１、２１２  ライン遅延部
２２０、２２１、２２３  画素遅延部
２３０、２３１、２３１  補間処理部
【図１】
2013004999.tif 000003
【図２】
2013004999.tif 000004
【図３】
2013004999.tif 000005
【図４】
2013004999.tif 000006
【図５】
2013004999.tif 000007
【図６】
2013004999.tif 000008
【図７】
2013004999.tif 000009
【図８】
2013004999.tif 000010
【図９】
2013004999.tif 000011
【図１０】
2013004999.tif 000012
【図１１】
2013004999.tif 000013
【図１２】
2013004999.tif 000014
【図１３】
2013004999.tif 000015
【図１４】
2013004999.tif 000016
【図１５】
2013004999.tif 000017
【図１６】
2013004999.tif 000018
【図１７】
2013004999.tif 000019
【図１８】
2013004999.tif 000020
【図１９】
2013004999.tif 000021